(57)【要約】【課題】  小型で、介護患者が在宅している現場に携帯が可能であり、しかも、ＲＦＩＤへの情報の読込み・書込み、および目に見える最小限情報の印字も可能な携帯情報記録担体発行装置を提供することを課題とする。【解決手段】  発行装置本体２を支持する把持用のグリップ３と、情報記録担体５０を搬送すべく形成された搬送路３６と、搬送路に通じる開放口２０と、一方の側面に形成された搬送路への情報記録担体の挿入口３８と、他方の側面に形成された発行口８と、搬送路に設けられた印字部１２と、挿入口より挿入された情報記録担体を印字部に搬送する搬送ローラ１３と、情報記録担体のＲＦＩＤインレット５５に対する読込み書込みを行うＲＦＩＤ読取り・書き込み部９と、印字部に搬送された情報記録担体を搬送するプラテンローラと、搬送ローラ１３およびプラテンローラ１１を回動する駆動部１４と、を備える。【選択図】  図２
2007015115.tif 000002
【特許請求の範囲】
【請求項１】
ＲＦＩＤインレットが内蔵され、かつ、表面の適宜位置に印字表示部が形成された情報記録担体に対し所望の情報を印字するとともに書込む発行装置本体を備えた携帯情報記録担体発行装置であって、
前記発行装置本体を支持する把持用のグリップと、
前記グリップに支持され長手方向に延設された発行装置本体と、
前記発行装置本体の幅方向において前記情報記録担体を搬送すべく発行装置本体の底面部にほぼ平行に形成された搬送路と、
前記発行装置本体の底面部から立ち上がった側面の、前記グリップに対向する先端側面部の幅方向に形成されるとともに、前記搬送路に通じる開放口と、
前記発行装置本体の底面部から立ち上がった長手方向の一方の側面に、前記開放口に連続して形成された前記搬送路への前記情報記録担体の挿入口と、
前記発行装置本体の底面部から立ち上がった長手方向の他方の側面に、前記開放口に連続して形成された前記搬送路からの前記情報記録担体の発行口と、
前記長手方向に沿って前記搬送路の先端側面部側に設けられた印字ヘッドおよびプラテンローラを有する印字部と、
前記搬送路の挿入口側において印字ヘッドにほぼ平行に設けられ、前記挿入口より挿入された前記情報記録担体を前記印字部に搬送する搬送ローラと、
前記印字部側に搬送された情報記録担体の前記ＲＦＩＤインレットに対する読込み書込みを行うＲＦＩＤ読取り・書き込み部と、
前記印字部に搬送された前記情報記録担体を搬送する前記プラテンローラと、
前記搬送ローラおよびプラテンローラを回動する駆動部と、を備え、
前記長手方向に形成された挿入口に矩形の情報記録担体の長辺を沿わせて挿入し前記搬送ローラにて印字部に送り、前記印字ヘッドにより前記印字表示部に所望の印字を行うとともに、前記ＲＦＩＤ読取り・書込み部により前記ＲＦＩＤインレットに所望の情報を書込むことを特徴とする携帯情報記録担体発行装置。
【請求項２】
前記発行装置本体は、さらに、前記ＲＦＩＤ読取り・書込み部に対し書込む前記所望の情報を入力可能なキーボード部と、
前記キーボード部から入力された前記所望の情報を表示するとともに、前記ＲＦＩＤ読取り・書込み部に書込まれた前記所望の情報を表示する表示部と、
前記所望の情報を外部機器との間で送受信する伝送手段と、を具備することを特徴とする請求項１に記載の携帯情報記録担体発行装置。
【請求項３】
前記発行装置本体には、さらに、前記印字ヘッドにより前記印字表示部にインクを熱転写するためのリボン装着部が備えられること特徴とする請求項１ないし２に記載の携帯情報記録担体発行装置。
【請求項４】
前記矩形の情報記録担体は、前記印字表示部が長辺のほぼ中央部に設けられたリストバンドであることを特徴とする請求項１に記載の携帯情報記録担体発行装置。
【請求項５】
前記情報記録担体には、前記印字ヘッドに対する前記印字表示部、および前記ＲＦＩＤ読取り・書き込み部に対するＲＦＩＤインレットの、位置決め確認用の識別マークが幅方向に所定の長さで形成されることを特徴とする請求項１または４に記載の携帯情報記録担体発行装置。
【発明の詳細な説明】
【技術分野】
【０００１】
本発明は携帯情報記録担体発行装置に関し、特に、リストバンドに内蔵されたＲＦＩＤインレットに対してデータの書込みおよび読込みを行う手持ち式の携帯情報記録担体発行装置に関する。
【背景技術】
【０００２】
従来、ＲＦＩＤに各種情報を記憶させ、この各種情報を用いて各種の管理を行うことが実施されている。
例えば、野外で開かれる競技会において、情報記録担体としてのＲＦＩＤタグを競技者に発行し、走行時間等を管理するようなことが行われている（例えば、特許文献１参照）。
特許文献１によれば、予め発行したＲＦＩＤタグを競技者のゼッケンに取り付ける一方、審判員や補助員等には取っ手付きの軽量のアンテナ（図４）と携帯コントローラ（図５）とからなるＲＦＩＤリーダ／ライタを携帯させ、審判員がゴールした競技者のゼッケンにアンテナをかざすことによりＲＦＩＤタグからゼッケン番号等の競技者特定情報を読み取るようになっている。
しかしながら、上記特許文献１では、詳細な記載はないものの、参加者が多いためＲＦＩＤタグを予め発行する必要があり、埋め込むＲＦＩＤタグとゼッケン番号との一致は図れるものの、所定のゼッケン番号を該当競技者に割当てるための処理、すなわち、該当競技者が集中する受付時に該当番号のゼッケンを渡すための処理、および該当ゼッケンが該当競技者に渡ったか否かの確認が難しく、混乱をきたす恐れがあるという問題があった。
発行したＲＦＩＤタグ（情報記録担体）をゼッケンに取り付ける代わりにリストバンドに挟み込むようなことも行われているが（図１０参照）、前述した該当競技者に該当番号のリストバンドを確実に渡すための受付時処理が難しいという問題は依然として残った。
また、リストバンドを発行するプリンタ（発行装置）としては、例えば、特許文献２がある（同文献の図３参照）。
特許文献２のプリンタによれば、台紙およびリストバンド部を備えたリストバンド用ラベルが長尺状に巻回された「連続体」を装着し、「連続体」を繰り出すとともに、熱転写リボンによりリストバンドの表面にＩＤ番号、生年月日などの患者情報を印字するようになっている。
しかしながら、上記特許文献２のプリンタ（発行装置）は、熱転写リボンを用い、かつ、「連続体」を装着して印字するため装置の大型化が避けられず、しかも、巻回した「連続体」を用いるため、アンテナを備えたＲＦＩＤが内蔵されたリストバンドに対するプリンタとして用いようとした場合、前記アンテナが丸まって断線のおそれがあるなど、ＲＦＩＤ内蔵のリストバンド（情報記録担体）の印字用としては不向きであるという問題があった。
【特許文献１】特開２００４−２４８７０３号公報
【特許文献２】特開２００５−２４５８２号公報
【発明の開示】
【発明が解決しようとする課題】
【０００３】
個人情報保護法の施行に伴い、患者氏名、生年月日などの患者情報が他人の目に触れることを極力抑えるため、ＲＦＩＤ内蔵の情報記録担体に患者情報を記憶し、この情報記録担体を患者に保持させるようなことが望まれた。
さらに、在宅の介護患者などに前記患者情報が記憶された情報記録担体を保持させるため、患者のいる現場（派遣先）でＲＦＩＤ内蔵の情報記録担体が発行でき、しかも、患者情報が読取れるような携帯情報記録担体発行装置の開発が望まれた。
【０００４】
本発明は、上記のような状況に着目してなされたものであって、小型で、介護患者が在宅している現場に携帯が可能であり、しかも、ＲＦＩＤへの情報の読込み・書込み、および目に見える最小限情報の印字も可能な携帯情報記録担体発行装置を提供することを課題とする。
【課題を解決するための手段】
【０００５】
本発明の携帯情報記録担体発行装置は、ＲＦＩＤインレットが内蔵され、かつ、表面の適宜位置に印字表示部が形成された情報記録担体に対し所望の情報を印字するとともに書込む発行装置本体を備えた携帯情報記録担体発行装置であって、前記発行装置本体を支持する把持用のグリップと、前記グリップに支持され長手方向に延設された発行装置本体と、前記発行装置本体の幅方向において前記情報記録担体を搬送すべく発行装置本体の底面部にほぼ平行に形成された搬送路と、前記発行装置本体の底面部から立ち上がった側面の、前記グリップに対向する先端側面部の幅方向に形成されるとともに、前記搬送路に通じる開放口と、前記発行装置本体の底面部から立ち上がった長手方向の一方の側面に、前記開放口に連続して形成された前記搬送路への前記情報記録担体の挿入口と、前記発行装置本体の底面部から立ち上がった長手方向の他方の側面に、前記開放口に連続して形成された前記搬送路からの前記情報記録担体の発行口と、前記長手方向に沿って前記搬送路の先端側面部側に設けられた印字ヘッドおよびプラテンローラを有する印字部と、前記搬送路の挿入口側において印字ヘッドにほぼ平行に設けられ、前記挿入口より挿入された前記情報記録担体を前記印字部に搬送する搬送ローラと、前記印字部側に搬送された情報記録担体の前記ＲＦＩＤインレットに対する読込み書込みを行うＲＦＩＤ読取り・書き込み部と、前記印字部に搬送された前記情報記録担体を搬送する前記プラテンローラと、前記搬送ローラおよびプラテンローラを回動する駆動部と、を備え、前記長手方向に形成された挿入口に矩形の情報記録担体の長辺を沿わせて挿入し前記搬送ローラにて印字部に送り、前記印字ヘッドにより前記印字表示部に所望の印字を行うとともに、前記ＲＦＩＤ読取り・書込み部により前記ＲＦＩＤインレットに所望の情報を書込むことを特徴とする。
また、発行装置本体は、さらに、ＲＦＩＤ読取り・書込み部に対し書込む所望の情報を入力可能なキーボード部と、キーボード部から入力された所望の情報を表示するとともに、ＲＦＩＤ読取り・書込み部に書込まれた所望の情報を表示する表示部と、所望の情報を外部機器との間で送受信する伝送手段と、を具備するようにできる。
また、発行装置本体には、さらに、印字ヘッドにより印字表示部にインクを熱転写するためのリボン装着部が備えられるようにできる。
また、矩形の情報記録担体は、印字表示部が長辺のほぼ中央部に設けられたリストバンドであるようにできる。
さらに、情報記録担体には、印字ヘッドに対する印字表示部、およびＲＦＩＤ読取り・書き込み部に対するＲＦＩＤインレットの、位置決め確認用の識別マークが幅方に所定の長さで形成されるようにできる。
【発明の効果】
【０００６】
本発明の携帯情報記録担体発行装置は、発行装置本の側面に形成された挿入口の長手方向に情報記録担体の長辺を沿わせて、発行装置本体の幅方向に形成された搬送路に挿入し、長手方向に沿って設けられた印字ヘッドにより印字するようにしたので、印字ヘッドへの位置決めが長辺方向を挿入する場合より短くて済むため位置決め、および発行が容易であるとうい効果がある。
また、発行装置本体に、さらに、ＲＦＩＤ読取り・書込み部に対し書込む所望の情報を入力可能なキーボード部と、所望の情報を表示する表示部と、所望の情報を外部機器との間で送受信する伝送手段と、を具備するようにすれば、発行装置本体に予め患者情報を記憶（ダウンロード）しなくとも、キーボード部より患者番号などの基となる情報を入力し、この患者番号に基づく患者情報を伝送手段を介して外部機器より受信でき、さらに、受信した患者情報を表示部に表示して確認できるので、現場での間違いのない情報記録担体の印字・発行が可能となる。
さらに、発行装置本体に、印字ヘッドにより印字表示部にインクを熱転写するリボン装着部を備えるようにすれば、個人情報の漏洩防止のため患者情報を２次元コードで印字するような場合、鮮明な２次元コードの印字が期待できるとともに、入浴などの水に対する耐久性の向上も期待できる。
また、情報記録担体を、印字表示部が長辺のほぼ中央部に設けられたリストバンドとすれば、患者への装着が容易であり、かつ、本人確認が確実に実施できるとともに、印字表示部が長辺のほぼ中央部に設けられているため、挿入時の左右の方向性を意識する必要がなくなる。
また、情報記録担体に、印字ヘッドに対する印字表示部、およびＲＦＩＤ読取り・書き込み部に対するＲＦＩＤインレットの、位置決め確認用の識別マークを幅方向に所定の長さで形成すれば、識別マークを所定の長さ検出するため、多少情報記録担体が斜めに挿入されたとしても検出可能となる。
【発明を実施するための最良の形態】
【０００７】
以下、本発明の携帯情報記録担体発行装置の一実施の形態につき、図１ないし図５に基づき説明する。
図１は、携帯情報記録担体発行装置の概略斜視図、図２は同装置の側面説明図である。同図に示すように、携帯式情報記録担体発行装置１は、主に、グリップ３と、グリップ３の先端に一体的に支持された発行装置本体２を備え、この発行装置本体２の外面部には、前記グリップ３に対設されたトリガースイッチ４と、グリップ３に連続する上面部（図１、図２における上面部）にキーボード部５、ＬＥＤ６、表示部７が形成され、かつ、下方部分の側面部には挿入口３８、発行口８および開放口２０が形成されている。
一方、内側部には、主に、下方部にＲＦＩＤ読取り・書込み部９と、印字ヘッドとしてのサーマルヘッド１０およびプラテンローラ１１より成る印字部１２と、搬送ローラ１３と、駆動部１４と、バッテリ１５と、後述のメディアセンサ１６と、位置検出センサ１７、および制御部１８などを備えている。また４０は、制御基板を表す。
また、３５は、前記各部が設けられた発行装置本体２の「底面部」であり、この底面部３５は、平滑面状態に形成されており、テーブル上などに載せると発行装置本体２の全体が安定した状態に置かれるようになっている。
【０００８】
ここで、主に、図３を参照して、「情報記録担体」としてのリストバンド５０につき説明する。
リストバンド５０は、細長い矩形を呈しており、長辺Ｓのほぼ中央部分に形成された印字表示部５１と、この印字表示部５１に連続した左右（図３における左右）に形成された係止部５２とから成り、かつ、識別マーク５３を備えており、前記係止部５２には図示省略の留め具により係止するための係止孔５４が形成されている。
また、印字表示部５１の部分には図示省略のＩＣチップおよびアンテナを備えたＲＦＩＤインレット５５が挟み込まれた状態で内蔵されており、かつ、印字表示部５１の表面は後述のサーマルヘッド１０により所望の情報の印字が行えるよう図示省略の感熱発色剤が塗布されている。なお、感熱発色剤（図示省略）が塗布された印字表示部５１は、油性のマジックなどにより文字などが手書きできるようになっている。
また、ＲＦＩＤインレット５５は介護患者などの所望の情報（データ）が記憶されるようになっており、このＲＦＩＤインレット５５に対する情報の読取り・書込みは後述するＲＦＩＤ読取り・書込み部９により行われるようになっている。
また、識別マーク５３は、リストバンド５０が後述のサーマルヘッド１０、およびＲＦＩＤ読取り・書込み部９に対し所望の状態に位置決めされたか否かを確認するための位置決め確認用のマークであり、前記印字表示部５１の左右（図３における左右）の脇に幅方向Ｗにわたって帯状に予め黒色などで印刷されている。
そして、リストバンド５０は、病院における患者や在宅介護を受ける介護患者に装着されるものであり、患者や要介護患者（図示省略）の手首に巻き付け、手首の太さに見合う係止孔５４を選んで図示省略の留め具により留めることにより装着されるものである。
なお、本実施の形態では、識別マーク５３を印字表示部５１側の脇の左右に１対所望の長さで設けたが、これに限定されないことは勿論であり、上縁部または下縁部でもよく、かつ、裏面に設けることも可能である。
【０００９】
次に、図１および図２に戻って、発行装置本体２の詳細につき説明する。
グリップ３は、発行装置本体２の手元側（図１、図２における右側）に形成されており、これを握ることにより、グリップ３から長手方向Ｘに延設された発行装置本体２全体が手持ち支持されるようになっている。
トリガースイッチ４は、後述するＲＦＩＤ読取り・書込み部９などの起動を図る「スイッチ」である。
キーボード部５は、患者番号や介護者ＩＤなどを入力するための入力手段であり、テンキーや各種の制御キー（図示省略）を備える。
ＬＥＤ（ｌｉｇｈｔ  ｅｍｉｔｔｉｎｇ  ｄｉｏｄｅ）６は発光ダイオードであり、このＬＥＤ６の点灯、消灯、あるいは点滅により発行装置本体２の各種の状態を表すようになっている。
表示部７は、前記キーボード部５より入力した図示省略の患者番号や介護者ＩＤなどに基づき各種情報を表示するための液晶ディスプレイなどで作製された表示手段である。
挿入口３８は、「情報記録担体」としてのリストバンド５０の挿入口であり、発行装置本体２の底面部３５から立ち上がった長手方向Ｘの一方の側面に設けられている。
発行口８は、リストバンド５０の排出発行口であり、発行装置本体２の底面部３５から立ち上がった長手方向Ｘの他方の側面、より具体的には、前記挿入口３８に対向する側面に設けられている。
開放口２０は、底面部３５から立ち上がった発行装置本体２の、グリップ３から離れた先端側面部の幅方向Ｙにわたって形成されている。
そして、前記挿入口３８より発行口８に至る発行装置本体２の幅方向Ｙにわたって、底面部３５にほぼ平行に搬送路３６が形成されており、かつ、開放口２０も搬送路３６に通じている。また、開放口２０の搬送路３６を挟んで対向するグリップ３（図１及び図２における右側）側は、リストバンド５０の案内面１９となっている。すなわち、挿入口３８および発行口８の長手方向Ｘの長さは、前記開放口２０から前記案内面１９の「距離」であり、この「距離」（長さ）は、前記リストバンド５０の印字表示部５１と片側の係止部５２の長辺Ｓ部分の長さを加えた長さにほぼ匹敵するようにされている。
したがって、リストバンド５０の長辺Ｓを挿入口３８に沿わせて挿入する際、案内面１９にリストバンド５０の係止部５２短辺の一端を当接して挿入すると、他端の係止部５２が開放口２０から外側に突出した状態となるため、この突出した他端の係止部５２を持って奥（搬送路３６）側へ挿入するものである。
ＲＦＩＤ読取り・書込み部９は、発行装置本体２の先端部（図１、図２における左端部）において前記搬送路３６よりさらに下方部に設けられており、リストバンド５０の前記ＲＦＩＤインレット５５に対する読込み・書込みができるようになっている。すなわち、前記挿入口３８よりリストバンド５０を挿入してリストバンド５０が所定の位置に位置決めされた際には、ＲＦＩＤインレット５５に介護患者などの所望の情報を書込み記憶できるようになっている。
また、ＲＦＩＤ読取り・書込み部９は発行装置本体２の先端部の下方部に設けられているため、グリップ３を持って発行装置本体２全体を保持し底面部３５の先端部を患者に装着された図示省略の発行済みのリストバンド５０にあてがい所望の操作を行うと、ＲＦＩＤインレット５５に記憶された前記介護患者などの所望の情報（図示省略）が読取れるようになっている。
前記印字部１２は、前記搬送路３６において、前記開放口２０側、かつ、発行口８側に設けられている。サーマルヘッド１０は、前記搬送路３６において長手方向Ｘに沿って設けられ、所望の情報（図示省略）をリストバンド５０の印字表示部５１に印字できるようになっている。
プラテンローラ１１は、後述の駆動部１４により回転し、前記印字ヘッド１０との間に位置決めされたリストバンド５０を挟持し、前記印字ヘッド１０により印字しつつ発行口８へ向けて搬送するようになっている。
搬送ローラ１３は、前記搬送路３６の挿入口３８側において、前記サーマルヘッド１０とほぼ平行に設けられており、駆動部１４により回転し、前記挿入口３８よりリストバンド５０が挿入されたとき回転し、挿入されたリストバンド５０を搬送ローラ１３と発行口８の間に配設された前記印字部１２に搬送するようになっている。
駆動部１４は、前記搬送ローラ１３に接続されこれを回転するとともに、図示省略のベルトなどの「連動手段」を介してプラテンローラ１１をも回転するようになっており、ステッピングモータの採用が可能である。
バッテリ１５は、後述の制御部１８および各部への供給用電源であり、グリップ３の部分に着脱自在に内蔵されている。
メディアセンサ１６は、前記リストバンド５０が挿入口３８より挿入されて搬送ローラ１３に達したか否かを確認するための透過型センサであり、発光部１６ａと受光部１６ｂを搬送ローラ１３の近辺に配してある。そして、メディアセンサ１６の発光部１６ａと受光部１６ｂの間の光が遮断されるとリストバンド５０「有り」が検出され、また、リストバンド５０が印字部１２側に搬送され発光部１６ａと受光部１６ｂの間に光が通過するとリストバンド５０「無し」が検出されるようになっている。
位置検出センサ１７は、発光部１７ａと受光部１７ｂとを備えた反射型センサであり、搬送ローラ１３と印字部１２との間にこれを配するとともに、リストバンド５０の前記識別マーク５３を検出するようになっている。
制御部１８については、後述する。
【００１０】
次に、主に、図４に基づき、制御部１８につき説明する。
同図は、制御部１８の要部を示す電気的なブロック図であり、制御基板４０に設けられている。同図に示すように、制御部１８は、主に、所定の制御プログラムや各種設定データを記憶するＲＯＭ（Ｒｅａｄ  Ｏｎｌｙ  Ｍｅｍｏｒｙ）２２と、ＲＯＭ２２に記憶されている制御プログラムに従って動作し、各部を制御するＣＰＵ（Ｃｅｎｔｒａｌ  Ｐｒｏｃｅｓｓｉｎｇ  Ｕｎｉｔ）２１と、ＣＰＵ２１が動作する上で必要となる各種データを記憶するＲＡＭ（Ｒａｎｄｏｍ  Ａｃｃｅｓｓ  Ｍｅｍｏｒｙ）２３と、ブルートゥース制御部２４と、前記ＬＥＤ６を制御する表示制御部２５と、メディアセンサ１６の発光部１６ａを制御し、光を出射させるとともに、受光部１６ｂから出力される電気信号を受け取り、ディジタルのデータに変換してリストバンド５０の有無検出データとしてＣＰＵ２１に供給するメディアセンサ制御部２６と、無線ＬＡＮ制御部２７と、前記位置検出センサ１７の発光部１７ａを制御し、光を出射させるとともに、受光部１７ｂから出力される電気信号を受け取り、ディジタルのデータに変換して位置検出データとしてＣＰＵ２１に供給する位置検出センサ制御部２８と、前記トリガースイッチ４のＯＮ、ＯＦＦ信号をＣＰＵ２１に供給するスイッチ制御部２９と、ＣＰＵ２１からＲＡＭ２３に記憶された印字イメージに基づいて供給される印字すべき文字、図形、およびバーコードなどの印字データに対応する制御信号を生成し、サーマルヘッド１０に供給し印字動作を行わせるヘッド制御部３０と、ステッピングモータ１４にパルス信号を供給し、モータを回転させるモータ制御部３１と、前記ＲＦＩＤインレット５５との間で所望の情報を送受信して書込み／読込みを行う前記ＲＦＩＤ読取り・書込み部９を制御するＲＦＩＤ制御部３２と、各種データやコマンドを入力するための前記キーボード部５および各種情報を表示するための前記表示部７が接続されるインタフェース３３などを備えている。キーボード部５より入力された入力データは、インタフェース３３を介してＣＰＵ２１に供給され、表示部７に表示される各種情報に対応する表示データは、インタフェース３３を介してＣＰＵ２１より供給されるようになっている。
また、前記ブルートゥース制御部２４は、無線を通じて外部に接続されたパーソナルコンピュータ（以下、適宜、単に「パソコン」と称す）３４との間で前記リストバンド５０に記憶する情報などの各種データやコマンドの送受信を行うことができるようになっている（伝送手段）。
また、無線ＬＡＮ制御部２７は、ブルートゥース制御部２４と同様、無線ＬＡＮなどのイントラネットを介して図示しないパーソナルコンピュータ等の各種機器との間で各種データやコマンドの送受信を行うことができるようになっている。
【００１１】
次に、主に、図５のフローチャートに基づき、本発明の携帯情報記録担体発行装置の使用状態を説明する。
なお、本実施の形態においては、介護患者（以下、適宜、単に「患者」と称す）に装着するリストバンド（情報記録担体）５０の発行を例に説明する。
ステップＳ０１にて、新たな訪問先の患者情報を予め発行装置本体２に記憶する。すなわち、図示省略の患者番号や介護保険情報、訪問予定日（何曜日に訪問するか）、健康保険番号、どのような介護を必要としているかなどのリストバンド５０のＲＦＩＤインレット５５に記憶させたい患者情報を、図示省略の介護者派遣センターのメインコンピュータ（図示省略）より発行装置本体２にダウンロードして記憶させる。
ステップＳ０２において、新しい患者宅を訪問する。
ステップＳ０３において、患者情報を確認する。すなわち、患者の名前を確認し、名前や生年月日入力などにより予め介護者派遣センターで記憶させた前記患者情報（図示省略）の中から該当患者番号などを検索して表示部７に表示する。なお、緊急時、すなわち、災害時などの野外テントなどで使用する場合は、予め患者情報を記憶させる必要はなく、ユニークな緊急時用患者番号（例えば、頭の１桁目が「Ｅ」など）を入力すればよい。
ステップＳ０４にて、リストバンド５０を挿入する。すなわち、挿入口３８の長手方向Ｘにリストバンド５０の長辺Ｓを合せ、リストバンド５０の短辺の一端側（係止部５２）を、グリップ３側に形成された案内面１９に当接し、かつ、開放部２０側から突出したリストバンド５０の他端部を持って搬送路３６へと挿入すると、メディアセンサ１６がリストバンド５０「有り」を検出し、メディアセンサ制御部２６およびＣＰＵ２１を介して駆動部としてのステッピングモータ１４を回転し、これに接続される搬送ローラ１３を回転してリストバンド５０を引込み印字部１２側への搬送を開始するので手を離す。このリストバンド５０の挿入時、印字表示部５１が長辺Ｓのほぼ中央部に設けられており、係止部５２がほぼ同じ長さのため、左右（図３における左右）どちらの短辺（係止部５２）を案内面１９（図１および図２）に当接させて挿入しても印字表示部５１の位置は長手方向Ｘにおけるほぼ同様な位置となる。
ステップＳ０５にて、リストバンド５０が位置決めされる。すなわち、ステップＳ０４にて搬送路３６に引込まれ印字部１２側に搬送されたリストバンド５０は、印字部１２近辺に配設されている位置検出センサ１７によりリストバンド５０の識別マーク５３が検出され、検出した位置よりステッピングモータ１４のステップ（パルス）数を計数してリストバンド５０の印字表示部５１をサーマルヘッド１０に位置決めするとともに、内蔵されたＲＦＩＤインレット５５をＲＦＩＤ読取り・書込み部９に位置決めする。このとき、識別マーク５３が幅方向Ｗにおいて所望の長さの帯状に形成されているため、多少は斜めにズレたとしても位置検出センサ１７による検出が可能なものである。
また、前記ステップ０４にて、リストバンド５０より手を離すタイミングを計るため、メディアセンサ１６にてリストバンド５０「有り」が検出されたとき、ＬＥＤ６を点灯させて操作者に知らせるようにしてもよい。
ステップＳ０６にて、リストバンド５０への情報の書込み・印字を行う。すなわち、サーマルヘッド１０により印字表示部５１に所望の情報を印字するとともに、ＲＦＩＤ読取り・書込み部９を介してＲＦＩＤインレット５５にも所望の情報を書込む。
なお、印字表示部５１には、患者番号などの最低限の情報のみ印字するものとし、生年月日などの個人情報は印字せず、ＲＦＩＤインレット５５に「電子データ」として書込み・記憶する。
所望の情報が印字・書込まれたリストバンド５０は、プラテンローラ１１の回転によりさらに搬送され、発行口８より排出される。
ステップＳ０７にて、リストバンドを患者の手首に装着する。
ステップＳ０８にて、リストバンド５０の情報を読取る。すなわち、グリップ３で発行装置本体２を保持して底面部３５の先端部を患者のリストバンド５０の印字表示部５１、具体的には、印字表示部５１に内蔵されているＲＦＩＤインレット５５に当接してトリガースイッチ４を作動すると、先端部のＲＦＩＤ読取り・書込み部９を介して患者に装着したリストバンド５０の情報が読込めるものである。
操作者（介護士・看護士）は表示内容を見ることにより、作成したリストバンド５０の患者番号などの内容に間違いがないか確認する。２回目以降には、同様に患者情報読取り、訪問曜日や介護内容などに間違いがないか確認する。
【００１２】
上述したように、発行装置本体２の側面に形成された挿入口３８の長手方向Ｘにリストバンド５０の長辺Ｓを沿わせ、発行装置本体２の幅方向Ｙに形成された搬送路３６に挿入し、長手方向に沿って設けられたサーマルヘッド１０により印字するようにしたので、サーマルヘッドへの位置決めが長辺Ｓを挿入する場合より短くて済むため位置決め、および発行が容易なものである。
【００１３】
さらに、リストバンド５０の印字表示面５１には、患者番号を印字し、また、ＲＦＩＤインレット５５には、ＲＦＩＤ読取り・書込み部９を介して目に見えない電子データとして患者の氏名や生年月日などの患者の個人情報を記憶でき、目視できる個人情報が最低限で済むため個人情報の漏洩が少なくなる。
【００１４】
一方、患者情報を読取る際はグリップ３で発行装置本体２を保持し、前記ＲＦＩＤ読取り・書込み部９が設けられた先端部にて外側からリストバンド５０のＲＦＩＤインレット５５の部分に重なるように当ててトリガースイッチ４を作動させるだけで、非接触状態で読取れるので、リストバンド５０の発行、および発行したリストバンド５０の患者情報が１台の手持ち式の携帯情報記録担体発行装置で実現できるものである。
【００１５】
次に、図６に基づき、他の実施の形態につき説明する。
なお、以下において、先の実施の形態と同様の部分は同一の符号を付すに止め、詳説を省略する。
同図は、発行装置損体２の先端部より見た概略斜視図であり、発行装置本体２内部のサーマルヘッド１０（同図においては省略してある）の上部に空いた空間にリボンカセット４１を装着するためのリボン装着部４２が形成されていることを特徴とする。
発行装置本体２の先端部の前面に装着開閉部４３が取っ手４４とともに設けられており、前記取っ手４４を摘まんで上方へ引っ張ると装着開閉部４３が開くようになっている（開いた状態は二点鎖線で示してある）。
また、リボンカセット４１は、リボン４５を供給する供給軸４６と巻取り軸４７とを備えている。そして、前面に開けた前記装着開閉部４３より、リボン４４がサーマルヘッド１０とプラテンローラ１１の間（同図では、いずれも省略してある）に挟持されるようリボンカセット４１を装着してリボン装着部４２へ押し込むと、リボンカセット４１が装着されるものであり、装着されたリボンカセット４１は、巻取り軸４７は前記駆動部としてのステッピングモータ１４にて回転し、サーマルヘッド１０を介してリストバンド５０の印字表示部５１には、リボン４４の図示省略のインクが熱転写されるようになっている。なお、ステッピングモータ１４を介した搬送ローラ１３およびプラテンローラ１１と、巻取り軸４７との巻き回転方向が反対に図示されているが、ステッピングモータ１４と巻取り軸４７の間に図示省略の歯車などを介在して回転方向を合せるようになっている。
印字表示部５１に対しインクによる熱転写を図ることにより、例えば、個人情報の漏洩防止のため患者情報を２次元コードで印字するような場合、鮮明な２次元コードの印字が期待できるとともに、入浴などの水に対する耐久性の向上も期待できる。
その他の構成、作用、効果については、先の実施の形態とほぼ同様につき、詳説を省略する。
【００１６】
なお、上記実施の形態の構成および動作は例であって、本発明の趣旨を逸脱しない範囲で適宜変更することができることは言うまでもない。
【００１７】
例えば、上記実施の形態において、患者情報は発行装置本体２に予めダウンロードするように説明したがこれに限定されないことは勿論であり、パソコン３４などの外部機器よりブルートゥース制御部２４を介して送受信できるので、要介護患者が在宅する現場での発行も可能となる。
【図面の簡単な説明】
【００１８】
【図１】本実施の形態の携帯式情報記録担体発行装置の概略斜視図である。
【図２】同、概略側面図である。
【図３】同、リストバンドの概略説明図である。
【図４】同、制御部の要部を示す電気的なブロック図である。
【図５】同、使用状態を示すフローチャート図である。
【図６】他に実施の形態を示す概略斜視図である。
【符号の説明】
【００１９】
Ｘ    発行装置本体２の長手方向
Ｙ    発行装置本体２の幅方向
Ｓ    情報記録担体５０の長手方向
Ｗ    情報記録担体５０の幅方向
１    携帯式情報記録担体発行装置
２    発行装置本体
３    グリップ
４    トリガースイッチ
５    キーボード部
６    ＬＥＤ（発光ダイオード）
７    表示部
８    発行口
９    ＲＦＩＤ読取り・書込み部
１０  印字ヘッド（サーマルヘッド）
１１  プラテンローラ
１２  印字部
１３  搬送ローラ
１４  駆動部（ステッピングモータ）
１５  バッテリ
１６  メディアセンサ
１７  位置検出センサ
１８  制御部
１９  案内面
２０  開放口
２１  ＣＰＵ
２２  ＲＯＭ
２３  ＲＡＭ
２４  ブルートゥース制御部
２５  表示制御部
２６  メディアセンサ制御部
２７  無線ＬＡＮ制御部
２８  位置検出センサ制御部
２９  スイッチ制御部
３０  ヘッド制御部
３１  モータ制御部
３２  ＲＦＩＤ制御部
３３  インタフェース
３４  パソコン
３５  底面部
３６  搬送路
３７  挿入口
４０  制御基板
４１  リボンカセット
４２  リボン装着部
４３  装着開閉部
４４  取っ手
４５  リボン
４６  供給軸
４７  巻取り軸
５０  情報記録担体（リストバンド）
５１  印字表示部
５２  係止部
５３  識別マーク
５４  係止孔
５５  ＲＦＩＤインレット
【図１】
2007015115.tif 000003
【図２】
2007015115.tif 000004
【図３】
2007015115.tif 000005
【図４】
2007015115.tif 000006
【図５】
2007015115.tif 000007
【図６】
2007015115.tif 000008